(57)【要約】【課題】保温性に優れた二重構造を呈し、かつ指又の蒸れ状態を解消することのできるつま先が５本指の二重靴下を提供することを課題とする。【解決手段】二重靴下１は、筒状の外側靴下部２及び外側靴下部２の筒内周面に沿って外接した筒外周面を有する筒状の内側靴下部を備え、二重構造を呈して構成された靴下本体部６と、靴下本体部６の一端に開口し、靴下を履く際に足のつま先を挿入する足挿入端７と相対する側の外側靴下部２及び内側靴下部のそれぞれの開口端にリンキングによって一目ずつ縢って縫着され、５本の足指をそれぞれ独立して収容可能な袋状空間を有してなる指収容部９を有する足指部１０と、外側靴下部２及び内側靴下部の間で、着用時の足の踵に相対する部位に介設された樹脂シートとを具備する。【選択図】図１
0003119393.tif 000002
【実用新案登録請求の範囲】
【請求項１】
筒状の外側靴下部及び前記外側靴下部の筒内周面に沿って外接した筒外周面を有する筒状の内側靴下部を備え、二重構造を呈して構成された靴下本体部と、
前記靴下本体部の足挿入端と相対する側の開口端に縫着され、足指をそれぞれ独立して収容可能な五つの袋状空間を有する足指部と、
前記外側靴下部及び前記内側靴下部の間で、踵に相対する部位に介設された樹脂シートと
を具備することを特徴とする二重靴下。
【請求項２】
前記足指部は、
抗菌性及び消臭性の少なくともいずれか一方の機能を有する機能性材料によって構成されることを特徴とする請求項１に記載の二重靴下。
【請求項３】
前記靴下本体及び前記足指部は、
リンキングによって縫着されることを特徴とする請求項１または請求項２に記載の二重靴下。
【請求項４】
前記靴下本体及び前記足指部を縫着する縫着位置は、
前記足指の母指球部及び小指球部よりつま先側に設定されることを特徴とする請求項１乃至請求項３のいずれか一つに記載の二重靴下。
【考案の詳細な説明】
【技術分野】
【０００１】
本考案は、靴下に関するものであり、特に、二重構造を有し、踵部分の角質の軟化を促進する二重靴下に関するものである。
【背景技術】
【０００２】
人間の足部（つま先から踵に至るまでの部位）は、血液を全身に送り出す心臓から最も離れた位置にあり、血流はそれほど激しくない。そのため、係る足部の温度（足温）は、身体の中で比較的低くなる傾向が強く、特に、中高年の女性などは、所謂「冷え症」の症状を訴えることがある。また、乾燥状態にある冬季などは、足裏（特に、踵部分）の皮膚がカサカサになり、角質が硬化することがあり、酷い場合には「あかぎれ」や「ひび割れ」になることがある。
【０００３】
そこで、日常生活の中で常に足部を温め、足温を一定に保つ試みが種々行われている。例えば、外気との接触をできるだけ避けるように、二足の靴下を重ねて履くことが一般的に行われている。さらに、図４に示すように、予め二足の靴下を重ね、外側部分と内側部分とを縫着して形成した二重構造の靴下（二重靴下１００）が製造され、市販されている。ここで、二重靴下１００について、さらに詳細に説明すると、筒状の外側靴下部１０１と外側靴下部１０１の中に収容される筒状の内側靴下部１０２を有し、それぞれの一端を縫着し、つま先１０３，１０４を形成するとともに、足挿入端１０５などの数カ所で外側靴下部１０１及び内側靴下部１０２がバラバラにならないように固定して形成されたものである。
【０００４】
また、この二重靴下１００の踵部分に、例えば、遠赤外線を放出可能な樹脂シート１０６を取付けたものもある。これにより、特に角質の硬化が起こりやすい踵部分を二重構造の靴下によって温めるとともに、遠赤外線の効果によって当該部位に発汗作用を促すことができる。そのため、該踵部分は、常に汗を掻いた状態となり、係る部位の乾燥を防ぐことができる。すなわち、樹脂シート１０６によって踵部分が保湿状態となり、角質の軟化を促進し、「あかぎれ」や「ひび割れ」などの皮膚の症状を改善することができる。
【０００５】
ところで、前述した二重靴下１００を含む従来型の靴下は、一般に「先丸型」と呼ばれるものであり、靴下を履いた際には互いに隣り合う足指同士が密着した状態になっていた。すなわち、筒状に形成された編み材の一端を縫着し、該筒を閉塞することによってつま先の部分を形成している。
【０００６】
これに対し、所謂「５本指ソックス（軍足）」と呼ばれ、互いに足指がそれぞれ独立して収容される手袋のような靴下も知られている。この５本指ソックスは、５本の指をそれぞれ独立して収容する足指部を有していることにより、「先丸型」の靴下よりも足指同士が密着することがなく、素足の状態に近い感覚となる。そのため、歩行時に足に力をかけることができ、歩きやすい等の利点を有している。また、「先丸型」の靴下に比べ、靴下と足指との接触面積が大きくなるため保温性に優れ、足指の間（指又）が蒸れることがないため雑菌の繁殖を抑え、水虫の症状の改善や予防、さらには悪臭の発生を低減するなど、種々の特徴的な効果を有している。
【考案の開示】
【考案が解決しようとする課題】
【０００７】
しかしながら、上述した保温性や角質の軟化を促進する機能を有する二重靴下は、ほとんど全てが「先丸型」の靴下であった。すなわち、二重構造を有する５本指ソックスを製造しようとする場合、それぞれの足指を独立して収容する足指部の部分も二重構造にする必要があった。この場合、靴下を形成する素材の厚さが増し、５本指ソックスの着用感が損なわれることがあった。あるいは、足指の部分の素材が厚すぎて着用時に足指を締め付けるような過剰な圧力が加わり、長時間の着用が難しいなど種々の問題があった。そのため、前述した二重靴下の備える利点及び５本指ソックスの備える利点の双方を併せ持つ靴下（二重靴下）の製造が期待されていた。
【０００８】
さらに、足指の間の指又に該当する箇所は、足部の中でも特に汗腺が集中して存在する箇所であり、常に蒸れた状態になっていることが多かった。そのため、水虫菌などの雑菌の繁殖や該雑菌等に起因する悪臭の発生が生じ易いところであった。そのため、係る部分に対しては、抗菌性や消臭性に優れる素材を用いることが考えられ、一方、足裏や足の甲、及び足首部などは、上述した指又の箇所に比べてそれほど雑菌の繁殖等が激しい場所ではなく、これらの部分では抗菌性や消臭性よりも保温性や保湿性を重視した機能を備える素材を用いることが適当と考えられていた。しかしながら、一般に靴下の製造は、足指の部分（指又を含む）とそれ以外の部分と編み機によって一度に製造するため、異なる機能を有する足指部とそれ以外の部分と別々に製造し、後に両者を縫着するような工程を行うことは皆無であった。
【０００９】
そこで、本考案は、上記実情に鑑み、保温性に優れた二重構造を呈し、かつ指又の蒸れ状態を解消することのできるつま先が５本指の二重靴下の提供を課題とするものである。
【課題を解決するための手段】
【００１０】
上記の課題を解決するため、本考案の二重靴下は、「筒状の外側靴下部及び前記外側靴下部の筒内周面に沿って外接した筒外周面を有する筒状の内側靴下部を備え、二重構造を呈して構成された靴下本体部と、前記靴下本体部の足挿入端と相対する側の開口端に縫着され、足指をそれぞれ独立して収容可能な五つの袋状空間を有する足指部と、前記外側靴下部及び前記内側靴下部の間で、踵に相対する部位に介設された樹脂シートと」を具備するものである。
【００１１】
したがって、本考案の二重靴下によれば、５本の足指をそれぞれ独立して収容可能な一重構造の足指部と、足裏や足の甲、及び足首を覆う二重構造の靴下本体部とによって形成されている。これにより、従来の二重靴下の特徴である保温性が維持され、さらに足指部のみを一重構造で形成したことにより、着用感を著しく損なうことなく、前述した５本指ソックスの優れた作用を享受することが可能となる。
【００１２】
加えて、着用時の踵に相対する部位に樹脂シートが外側靴下部及び内側靴下部の間に介設されることにより、乾燥によって「あかぎれ」等の発生しやすい踵を発汗させ、保湿した状態が保たれる。これにより、上記の作用とともに、足裏の皮膚の乾燥を防ぎ、角質を軟化させることが可能となる。なお、樹脂シートとしては、例えば、遠赤外線放射作用を有するセラミックス素材を樹脂に練込み、シート状に形成した市販のマソニックＡ（登録商標）などを例示することができる。なお、この樹脂シートは、遠赤外線の作用によって皮膚の新陳代謝を促し、冷え症などを改善する作用も備えている。なお、靴下を構成する素材の全てに遠赤外線放射機能を有するものを用い、保温性を高めるものであってもよい。
【００１３】
さらに、本考案にかかる二重靴下は、上記構成に加え、「前記足指部は、抗菌性及び消臭性の少なくともいずれか一方の機能を有する機能性材料によって構成される」ものであっても構わない。
【００１４】
したがって、本考案の二重靴下によれば、足指部が抗菌性及び消臭性の少なくともいずれか一方の機能を有する機能性材料によって構成されている。ここで、足指部が包含する指又の箇所は、前述したように、雑菌の繁殖や悪臭の発生が特に生じやすいところである。そこで、係る部位に限定的に抗菌機能及び／または消臭機能を有する機能性材料を用いることにより、足指を独立させたことによる蒸れの解消とともに、さらに指又の雑菌の繁殖等を抑えることができる。ここで、機能性材料としては、例えば、足指部を構成する繊維素材の中に炭を練込んだものを用い、該炭の高い表面吸着性能を利用して、悪臭の発生等を抑えるものが例示される。
【００１５】
一方、靴下本体部に対しては、足指部と同様に抗菌性及び消臭性等に優れる素材を用いることも可能であるが、係る部位にさらに求められる性能、すなわち、保温性等を重視した素材を選定するものであってもよい。これにより、足裏等が温められるとともに、足指部の悪臭の発生等が抑えられる。すなわち、足指部及び靴下本体部をそれぞれ別々の機能を有し、各部位に適した素材によって形成することが可能となる。
【００１６】
さらに、本考案にかかる二重靴下は、上記構成に加え、「前記靴下本体及び前記足指部は、リンキングによって縫着される」ものであっても構わない。
【００１７】
したがって、本考案の二重靴下によれば、靴下本体及び足指部の縫着がリンキングによって行われている。ここで、一般に靴下の製造において、例えば、つま先部分の縫着する場合、「ロッソ」と呼ばれるミシンで縫う方式と、「リンキング」と呼ばれる一目づつ縢る方式とが知られている。ここで、リンキングは、縫目が滑らかで靴下を履いた際に引っかかりがない利点を有している。そのため、二重靴下の靴下本体部と足指部とをリンキングによって縫着することにより、履き心地をよくすることが可能となる。
【００１８】
さらに、本考案に係る二重靴下は、上記構成に加え、「前記靴下本体及び前記足指部を縫着する縫着位置は、前記足指の母指球部及び小指球部よりつま先側に設定される」ものであっても構わない。
【００１９】
したがって、本考案の靴下によれば、足指の母指球部及び小指球部より前のつま先側に設定される。ここで、母指球部は足の親指の付け根にある膨らみ部分のことであり、小指休部は、足の小指の付け根にある膨らみ部分のことである。そして、人間は係る母指球部及び小指球部と踵の三点によって体重を支え、歩行運動を可能としている。すなわち、この三点に歩行の際の自重（荷重）がすべて係ることになる。そのため、係る部位が縫着位置に当たらないようにすることにより、荷重によって糸が解れたり、縫着位置から孔があくような可能性が少なくなる。つまり、縫着位置は二重靴下の中で最も耐久性に劣る部位であるから、係る部位にあまり体重が掛からないようにすることで、二重靴下全体の耐久性を高くすることが可能となる。なお、この母指球部及び小指球部よりも土踏まず側に縫着位置が設定されると、保温機能を有する靴下本体部の表面積が小さくなる。その結果、二重構造による靴下本体部の保温性を十分に発揮できないおそれがある。そこで、耐久性及び保温性を考慮し、縫着位置を上記のように設定することが行われる。
【考案の効果】
【００２０】
本考案の効果として、二重靴下のつま先部分を５本指ソックスのようにそれぞれ指を独立して収容可能な足指部を設けることにより、従来の二重靴下及び５本指ソックスの双方の利点を併せ持つ二重靴下が製造される。さらに、踵に相対する部位に樹脂シートが介設されているために、踵の角質の軟化を促進することができる。
【考案を実施するための最良の形態】
【００２１】
以下、本考案の一実施形態である二重靴下１について、図１乃至図３に基づいて説明する。ここで、図１は本実施形態の二重靴下１の構成を示す斜視図であり、図２は二重靴下１の構成を示す分解斜視図であり、図３は二重靴下１の使用態様を示す断面図である。
【００２２】
本実施形態の二重靴下１は、図１乃至図３に示すように、筒状の外側靴下部２及び外側靴下部２の筒内周面３に沿って外接した筒外周面４を有する筒状の内側靴下部５を備え、二重構造を呈して構成された靴下本体部６と（図２及び図３参照）、靴下本体部６の一端に開口し、靴下を履く際に足Ｆのつま先ＦＴを挿入する足挿入端７と相対する側の外側靴下部２及び内側靴下部５のそれぞれの開口端８ａ，８ｂにリンキングによって一目づつ縢って縫着され、５本の足指Ｆ’をそれぞれ独立して収容可能な袋状空間を有してなる指収容部９を有する足指部１０と、外側靴下部２及び内側靴下部５の間で、着用時の足Ｆの踵Ｋに相対する部位に介設された樹脂シート１１とを具備して主に構成されている。
【００２３】
さらに、詳細に説明すると、靴下本体部６の外側靴下部２及び内側靴下部５は、それぞれアクリル繊維を含む同種の合成繊維を素材とし、既存の靴下製造用の編み機（図示しない）を応用し、筒状体に形成されたものである。なお、靴下本体部２の足挿入端７の近傍時には、着用時に靴下本体部６の足首部分が落ちないようにするために弾性繊維１２を用いた靴下止部１３が形成されている。一方、足挿入端７と相対する外側靴下部２の開口端８ａ及び内側靴下部５の開口端８ｂは、図２に示すように、互いの端面が略一致するように揃えられている。これにより、前述した足指部１０と外側靴下部２及び内側靴下部５を纏めてリンキングすることが可能となる。
【００２４】
一方、足指部１０は、図１等に示すように、５本の足指Ｆ’をそれぞれ収容する袋状空間を備えている５つの指収容部９と、それぞれの指収容部９へ足指Ｆ’を挿入するための指開口端１４を縫着し、５つの指収容部９を一つに纏めるとともに、前足部１５の一部を覆う足指本体部１６とを具備して構成されている。そして、係る足指本体部１６の開口端１７が前述した靴下本体部６の開口端８ａ，８ｂとリンキングによって一目づつ縢られることにより、靴下本体部６と足指部１０とが縫着され、一つの靴下の形状を構成する。ここで、両者（靴下本体部６及び足指部１０）を縫着し、連結するリンキングは、一般に靴下のつま先部分を形成するため等に用いられるものであり、縫目が滑らかで比較的凹凸の少ない仕上がりになる。そのため、着用感が良好となる。
【００２５】
加えて、図３に示すように、本実施形態の二重靴下１は、靴下本体部６と足指部１０とのリンキングによる縫着位置Ｐが母指球部Ｐ１及び小指球部（図示しない）よりつま先側（図３における紙面左方向に相当）に設定されている。換言すれば、該縫着位置Ｐは、つま先から足指部１０の指収容部９及び足指本体部１６の長さを足したものに相当する。これにより、人間が体重を支え、歩行時に最も自重がかかりやすい母指球部Ｐ１及び小指球部の位置を避けることにより、二重靴下１の全体の耐久性を高めることができるようになる。
【００２６】
さらに、本実施形態の二重靴下１は、靴下本体部６に使用される素材と、足指部１０に使用される素材とをそれぞれ異なる機能を有するものから構成されている。すなわち、靴下本体部６は、足裏及び足の甲などから熱が発散することを抑え、さらに発汗作用を促すことにより、踵部分を若干蒸れた状態にすることにより、足裏（特に、踵部分）の角質を軟化させることができる保温性の高い素材が用いられている。一方、足指部１０は、靴下本体部６とは異なり、足指Ｆ’の間（所謂「指又」）の箇所に特に集中している汗腺からの汗及びその他の雑菌などによって発生する悪臭を防止するために、炭を繊維に含有した炭素含有繊維によって形成されている。これにより、多孔質の炭（炭素）の高い表面吸着性能によって、悪臭成分を吸着することが可能となる。
【００２７】
また、外側靴下部２及び内側靴下部５の間には、二重靴下１を履いた際に人間の踵Ｋに相対する位置に樹脂シート１１が取付けられている。これにより、樹脂シート１１の保温及び保湿効果によって樹脂シート１１に相対する部位は温められ、保湿した状態となる。
【００２８】
上記に示した構成により、本実施形態の二重靴下１は、従来の二重靴下による保温性及び保湿性に係る機能、樹脂シート１１による踵Ｋの保湿及び角質軟化機能、及び足指部１０による５本指ソックスに起因する機能を併せて有している。さらに、足指部１０及び靴下本体部６が、リンキングによって縫着されているため、縫目に段差がほとんどなく、二重靴下１を履いた際の着用感が損なわれることがない。
【００２９】
さらに、靴下本体部６及び足指部１０をそれぞれ異なる機能を有する素材で構成し、縫着して組み合わせることができるため、足のそれぞれの箇所に適した材料を任意に選択することができ、二重靴下１をさらに高機能化することができる。
【００３０】
以上、本考案について好適な実施形態を挙げて説明したが、本考案はこれらの実施形態に限定されるものではなく、以下に示すように、本考案の要旨を逸脱しない範囲において、種々の改良及び設計の変更が可能である。
【００３１】
すなわち、本実施形態の二重靴下１において、靴下本体部６と足指部１０とをそれぞれ異なる素材で形成したものを示したが、これに限定されるものではなく、それぞれ同一の素材で形成したものであっても構わない。しかしながら、足指部１０を抗菌性及び消臭性の機能を有する素材で形成することにより、特に悪臭の発生を抑えることが可能となる。
【図面の簡単な説明】
【００３２】
【図１】本実施形態の二重靴下の構成を示す斜視図である。
【図２】二重靴下の構成を示す分解斜視図である。
【図３】二重靴下の構成及び使用態様を示す断面図である。
【図４】従来の二重靴下の構成を示す断面図である。
【符号の説明】
【００３３】
１，１００  二重靴下
２，１０１  外側靴下部
３  筒内周面
４  筒外周面
５，１０２  内側靴下部
６  靴下本体部
７，１０５  足挿入端
８ａ，８ｂ，１７  開口端
１０  足指部
１１，１０６  樹脂シート
Ｆ  足
Ｆ’  足指
Ｋ  踵
Ｐ  縫着位置
【図１】
0003119393.tif 000003
【図２】
0003119393.tif 000004
【図３】
0003119393.tif 000005
【図４】
0003119393.tif 000006